(57)【要約】      （修正有）【課題】相変化型光ディスクにおいては、情報の書換えを何度も繰返すと記録品質が低下する。したがって、データ領域と比較するとデータ管理領域は記録品質が低下しやすい。本発明は、データ管理領域の記録品質が低下しないようにできる記録装置を提供する。【解決手段】データ管理領域での記録パワーはデータ領域の記録パワーより低く設定したり、データ管理領域での記録パワーとイレースパワーとの比率はデータ領域のものよりも低く設定したり、データ管理領域の記録前にはダミーライトを行ったり、データ管理領域での線速度はデータ領域のものよりも遅く設定したりして、データ管理領域とデータ領域とで記録条件を異ならせて記録する。【選択図】        図１
2005063538.tif 000002
【特許請求の範囲】
【請求項１】
データ領域及びデータ管理領域を有する記録媒体に対してデータ領域とデータ管理領域で異なる記録条件を用いて記録する手段を有することを特徴とする記録装置。
【請求項２】
データ領域における記録パワーＰｗ０とデータ管理領域における記録パワーＰｗ１についてＰｗ０≠Ｐｗ１の条件を用いて記録することを特徴とする請求項１に記載の記録装置。
【請求項３】
データ管理領域における記録パワーＰｗ１をＰｗ１＝Ｐｗ０×αとして表すとき、定数αが０．９０≦α＜０．９９であることを特徴とする請求項１、２のいずれかに記載の記録装置。
【請求項４】
データ管理領域にデータ管理情報を書き込む前に、データ管理領域で少なくとも１回以上ダミーライトを行うことを特徴とする請求項１〜３のいずれかに記載の記録装置。
【請求項５】
データ管理領域にデータ管理情報を書き込む前に、データ管理領域でダミーライトを少なくとも２回以上行うことを特徴とする請求項１〜４のいずれかに記載の記録装置。
【請求項６】
データ領域での記録パワーＰｗ０とイレースパワーＰｅ０との比率ε０とデータ管理領域での記録パワーＰｗ１とイレースパワーＰｅ１との比率ε１について、ε０≠ε１であることを特徴とする請求項１〜５のいずれかに記載の記録装置。
【請求項７】
データ領域での記録パワーＰｗ０とイレースパワーＰｅ０との比率ε０とデータ管理領域での記録パワーＰｗ１とイレースパワーＰｅ１との比率ε１について、以下の条件、
βを定数としてε１＝ε０×β、０．９９＞β＞０．８５
を満足することを特徴とする請求項１〜６のいずれかに記載の記録装置。
【請求項８】
データ領域とデータ管理領域で異なった記録線速度及びまたは記録角速度を用いて記録することを特徴とする請求項１〜７のいずれかに記載の記録装置。
【請求項９】
データ管理領域でのディスク回転制御方式がＣＬＶ（記録線速度一定）方式であり、データ領域内での最低記録線速度ｌｖ０に対して、データ管理領域内での記録線速度ｌｖ１をｌｖ１＝ｌｖ０×γで定義される値を用いるとき、γを０．５≦γ＜０．９の定数とする記録方法を実現することを特徴とする請求項１〜８に記載の記録装置。
【請求項１０】
データ領域でのディスク回転制御方式がＣＡＶ（角速度一定）方式の場合に、データ領域内での最内周角速度ａｖ０の場合の記録線速度をｌｖａとし、かつデータ管理領域内でのディスク回転制御方式をＣＬＶ方式、記録速度をｌｖ２として、ｌｖ２＝ｌｖａ×σで定義される値を用いるときσを０．５≦σ＜０．９の定数とする記録方法を実現することを特徴とする請求項１〜９のいずれかに記載の記録装置。
【発明の詳細な説明】
【技術分野】
【０００１】
本発明は、相変化型記録材料を用いた記録媒体（相変化型光ディスク）に情報の書き込みを行う記録装置に関する。
【背景技術】
【０００２】
従来から相変化型光ディスクの記録品質を判断するポイントとして、ＤＯＷ１及びＤＯＷ１０００が重視されている。１０００回書き換えを行う際に記録品質が問題となるＤＯＷ１及びＤＯＷ１０００が業界で再生互換性上問題ないとされるジター値である１１％を下回れば、一般的にＤＯＷ０からＤＯＷ１０００全てでジター１１％以下となる。そこで従来では、パルスの発光波形や記録パワーの最適化を行うことでジター１１％以下を実現しようとしていた。
しかし、同一規格の記録媒体であってもメーカーやロット等により記録特性が異なるためＤＯＷ１及びＤＯＷ１０００の両方でジター値１１％以下を実現するのが困難な場合があった。また、パルス発光波形や記録パワーの最適化によってＤＯＷ１かＤＯＷ１０００のいずれかに最適化をすると他方でジター値が１１％以上となることがあった。
例えば、特許文献１では４つのパワーレベルを持つエネルギービームを用いることにより記録品質の向上を図っている。
【特許文献１】特開２０００−２２２７３３公報
【発明の開示】
【発明が解決しようとする課題】
【０００３】
しかし、従来の技術では、新たな記録方法を実現するために多くの労力を必要とする。一般的に相変化型光ディスクにおいて、情報の書き換えを何度も繰り返すことによりディスク記録層材料の劣化等の原因により記録品質が低下することが知られている。相変化型光ディスクにおいてデータ領域とデータ管理領域を比較するとデータ管理領域の方がＤＯＷが多くなり書き換えによる記録品質の低下の影響を受けやすい。
本発明は、このような背景に鑑みてなされたものであり、記録媒体の記録品質を向上させることができる記録装置を提供することを目的とする。
【課題を解決するための手段】
【０００４】
上記目的を達成するために、請求項１記載の発明は、データ領域及びデータ管理領域を有する記録媒体に対してデータ領域とデータ管理領域で異なる記録条件を用いて記録する手段を有する記録装置を最も主要な特徴とする。
請求項１記載の発明によれば、データ領域とデータ管理領域での記録条件を変化させることにより、記録品質を変化させることができる。
請求項２記載の発明は、データ領域における記録パワーＰｗ０とデータ管理領域における記録パワーＰｗ１についてＰｗ０≠Ｐｗ１の条件を用いて記録する請求項１に記載の記録装置を主要な特徴とする。
請求項２記載の発明によれば、データ領域とデータ管理領域での記録パワーを変化させることにより、記録品質を変化させることができる。
請求項３記載の発明は、データ管理領域における記録パワーＰｗ１をＰｗ１＝Ｐｗ０×αとして表すとき、定数αが０．９０≦α＜０．９９である請求項１、２のいずれかに記載の記録装置を主要な特徴とする。
請求項３記載の発明によれば、データ管理領域での記録パワーをデータ領域と比較して低くすることにより、ジター値を低減することができる。
請求項４記載の発明は、データ管理領域にデータ管理情報を書き込む前に、データ管理領域で少なくとも１回以上ダミーライトを行う請求項１〜３のいずれかに記載の記録装置を主要な特徴とする。
請求項４記載の発明によれば、ＤＯＷ０回の場合とダミーライトを行うことによって１回にした場合とで記録品質に変化を生じさせることができる。
【０００５】
請求項５記載の発明は、データ管理領域にデータ管理情報を書き込む前に、データ管理領域でダミーライトを少なくとも２回以上行う請求項１〜４のいずれかに記載の記録装置を主要な特徴とする。
請求項５記載の発明によれば、あらかじめダミーライトを行いＤＯＷが２回以上になるようにすることでジター値を低減することができる。
請求項６記載の発明は、データ領域での記録パワーＰｗ０とイレースパワーＰｅ０との比率ε０とデータ管理領域での記録パワーＰｗ１とイレースパワーＰｅ１との比率ε１について、ε０≠ε１である請求項１〜５のいずれかに記載の記録装置を主要な特徴とする。
請求項６記載の発明によれば、記録パワーとイレースパワーの比率を変化させることにより記録品質を変化させることができる。
請求項７記載の発明は、データ領域での記録パワーＰｗ０とイレースパワーＰｅ０との比率ε０とデータ管理領域での記録パワーＰｗ１とイレースパワーＰｅ１との比率ε１について、以下の条件、
βを定数としてε１＝ε０×β  、０．９９＞β＞０．８５
を満足する請求項１〜６のいずれかに記載の記録装置を主要な特徴とする。
請求項７記載の発明によれば、記録パワーとイレースパワーの比率を小さくすることでＤＯＷ回数が２回目以降でジターの低減を図ることができる。
請求項８記載の発明は、データ領域とデータ管理領域で異なった記録線速度及びまたは記録角速度を用いて記録する請求項１〜７のいずれかに記載の記録装置を主要な特徴とする。
請求項８記載の発明によれば、記録速度を変化させることにより記録品質を変化させることかができる。
【０００６】
請求項９記載の発明は、データ管理領域でのディスク回転制御方式がＣＬＶ（記録線速度一定）方式であり、データ領域内での最低記録線速度ｌｖ０に対して、データ管理領域内での記録線速度ｌｖ１をｌｖ１＝ｌｖ０×γで定義される値を用いるときγを０．５≦γ＜０．９の定数とする記録方法を実現する請求項１〜８に記載の記録装置を主要な特徴とする。
請求項９記載の発明によれば、記録速度を低下させることによりジターの低減を図ることができる。
請求項１０記載の発明は、データ領域でのディスク回転制御方式がＣＡＶ（角速度一定）方式の場合に、データ領域内での最内周角速度ａｖ０の場合の記録線速度をｌｖａとし、かつデータ管理領域内でのディスク回転制御方式をＣＬＶ方式、記録速度をｌｖ２として、ｌｖ２＝ｌｖａ×σで定義される値を用いるときσを０．５≦σ＜０．９の定数とする記録方法を実現する請求項１〜９のいずれかに記載の記録装置を主要な特徴とする。
請求項１０記載の発明によれば、データ管理領域でのディスク回転制御方式をＣＬＶとしさらに記録速度を低下させることにより、ジターの低減を図ることができる。
【発明の効果】
【０００７】
請求項１記載の発明によれば、データ領域とデータ管理領域での記録条件を変化させることにより、記録品質を変化させることができる。
請求項２記載の発明によれば、データ領域とデータ管理領域での記録パワーを変化させることにより、記録品質を変化させることができる。
請求項３記載の発明によれば、データ管理領域での記録パワーをデータ領域と比較して低くすることにより、ジター値を低減することができる。
請求項４記載の発明によれば、ＤＯＷ０回の場合とダミーライトを行うことによって１回にした場合とで記録品質に変化を生じさせることができる。
請求項５記載の発明によれば、あらかじめダミーライトを行いＤＯＷが２回以上になるようにすることでジター値を低減することができる。
請求項６記載の発明によれば、記録パワーとイレースパワーの比率を変化させることにより記録品質を変化させることができる。
請求項７記載の発明によれば、記録パワーとイレースパワーの比率を小さくすることでＤＯＷ回数が２回目以降でジターの低減を図ることができる。
請求項８記載の発明によれば、記録速度を変化させることにより記録品質を変化させることかができる。
請求項９記載の発明によれば、記録速度を低下させることによりジターの低減を図ることができる。
請求項１０記載の発明によれば、データ管理領域でのディスク回転制御方式をＣＬＶとしさらに記録速度を低下させることにより、ジターの低減を図ることができる。
【発明を実施するための最良の形態】
【０００８】
以下、本発明の実施の形態を図面に従って説明する。
図１は、本発明の実施の形態に係る光ディスク装置のブロック図である。本光ディスク装置は、光ディスク１を回転させるスピンドルモータ２、モータドライバ３、サーボ４、光ピックアップ５、リードアンプ６、デコーダ７、バッファマネージャ８、バッファＲＡＭ９、ＡＴＡＰＩ／ＳＣＳＩインタフェース１０、Ｄ／Ａコンバータ１１、ディスク情報デコーダ１２、エンコーダ１３、レーザコントロール回路１４、ＣＰＵ１５、ＲＯＭ１６、ＲＡＭ１７を備える。
一般に、相変化型光ディスクにおいては書き換え回数（Direct Over Write=DOW）によって記録品質が変化することが知られている。記録品質の良し悪しを表すものとして本発明ではジター値を用いる。ジター値が低いほど記録品質は良い。
尚、ＲＯＭ１６には、図１の各構成の機能と光ディスクとしての動作、及び請求項に記載されている機能手段が実行されるプログラムが格納され、このプログラムに従ってＣＰＵ１５により実行される。
図２に、ＤＯＷの回数による記録パワー対ジターの関係を示す。図２において、ＤＯＷ０の場合にジターボトム値が最低となり、ＤＯＷ１の場合にジターボトム値が最高となり、ＤＯＷ２及びＤＯＷ１００の場合にはジターボトム値はＤＯＷ０の場合とＤＯＷ１の場合の間となっている。また、図２よりジターボトム値が得られる記録パワーがＤＯＷの回数によって異なっており、ジターボトム値で記録するためにはＤＯＷ１の場合が最も高い記録パワーを必要とする。
相変化型光ディスクを工場で生産する際に記録材料の結晶化を行うためにイレースパワーで書き込みを行う。これにより記録媒質が均一となっている際に記録を行うＤＯＷ０については記録品質が良好であるが、一度記録装置により書き込みを行った記録媒体では、工場で書き込みを行った部分と、記録装置によって書き込みを行った部分が混在することになる。工場と記録装置では記録条件が異なっているため、そのような状態のディスクにさらに書き込みを行うＤＯＷ１では記録品質が悪化すると推定される。
【０００９】
図３は、Ｐｗ０、Ｐｗ１、Ｐｗ２によるＤＯＷ対ジターの関係を示す。図３において、Ｐｗ０、Ｐｗ１、Ｐｗ２の大きさの関係はＰｗ１＜Ｐｗ０＜Ｐｗ２となっている。Ｐｗ０を基準としてＰｗ１、Ｐｗ２を比較すると、Ｐｗ１はＤＯＷ１回でのジターは高くなるが、その後１０００回目まで低い値を保つ。一方、Ｐｗ２では、ＤＯＷ１回でのジターは低くなるが、その後ＤＯＷ１０回目以降急激にジターの値が高くなる。
本発明では、ＤＯＷ回数の少ないデータ領域でＰｗ０を用いるが、ＤＯＷ回数が多くなると想定されるデータ管理領域ではＰｗ１を用いる。ただし、Ｐｗ１を用いればＤＯＷ１回目のジター値が高くなる既領域が未記録状態の場合、あらかじめダミーライトを２回以上行うことで、実際にデータ管理情報を書き込む際には、データ管理領域はＤＯＷが２回以上になっており良好な記録が可能となる。なお、以上の記録制御は、上記ＣＰＵ１５の制御の基に行われる。
ε０（データ領域での記録パワーＰｗ０とイレースパワーＰｅ０との比率）及びε１（データ管理領域での記録パワーＰｗ１とイレースパワーＰｅ１との比率）におけるＤＯＷ対ジターの関係を示した図４において、ε０とε１との関係はε０＞ε１である。ε０の場合はＤＯＷが１回の場合のジター値はあまり高くならないがＤＯＷ１００回付近よりジター値が高くなる。一方、ε１の場合は、ＤＯＷ１回のときのジターは高くなるが、ＤＯＷ１００回以上でのジター値の上昇は低く抑えられる。ＤＯＷ回数の少ないデータ領域ではε０を用いるが、よりＤＯＷ回数の多くなるデータ管理領域ではε１を用いる方が好適である。
【００１０】
図５は、記録線速度ｌｖにおけるＤＯＷ対ジターの関係を示したものである。相変化型光ディスクでは、図５に示すように、記録線速度を変えることでジターが低くなることがある。
本発明では、ｌｖ０＞ｌｖ１としたときにｌｖ１の場合の方がジターが低くなる場合に有効となる。通常のデータ領域ではｌｖ０の線速度で記録を行うが、ＤＯＷが多くなると、ジターが高くなる。同様にｌｖａ＞ｌｖ２としたときにｌｖ２の場合の方がジターが低くなる場合にデータ領域内での最内周記録角速度時の記録線速をｌｖａと定義し、ｌｖ２＝ｌｖａ×σの関係が有効となる。一般的に、データ領域よりデータ管理領域の方がＤＯＷが多くなるため、データ管理領域部分のみ記録線速度を遅くすればＤＯＷが多くなっても光ディスク全領域でジター値を低く保つことができる。
相変化型光ディスクでは、同一の規格のものであってもメーカーやロット等により記録特性や書き換え特性が異なったり、書き換え特性が悪いものも存在している。書き換え型光ディスクの場合、データ管理領域は、データ領域のデータ変更する度に何度も書き換えが行われるためＤＯＷ回数が多くなりやすい。データ管理領域が繰り返しの書き換えによって読み書きが不能になれば、データの管理情報が認識できなくなり、データ領域中のデータを読み込み不可能になる危険性がある。データ管理領域はデータ領域に比べて情報を記録する領域が圧倒的に短いため、その部分であらかじめダミーライトを行ったり、書き込み速度を遅くしたりしても、データ領域の書き込み時間に比べて十分短いので、実使用上は問題ない。
【００１１】
［実施例］
本実施例では代表的な光記録ディスクとしてＤＶＤ＋ＲＷを用いた。無論、本発明は相変化型記録材料を用いた記録媒体ＣＤ−ＲＷ、ＤＶＤ−ＲＷ、ＤＶＤ−ＲＡＭ、その他すべてにおいて効果を有する。本発明の実施例においては、１〜４ｘ記録速度対応ＤＶＤ＋ＲＷを用いて、記録速度は４ｘ及びまたは２．４ｘで行った。信号の記録再生にはパルステック工業製ＤＤＵ−１０００を用いた。記録パワーや再生ジター値は記録装置や記録媒体の特性等によって変動するが、本実施例はあらゆる記録装置において応用できる。
以下、実施例によって本発明を具体的に説明する。
【実施例１】
【００１２】
ＤＯＷ及び記録パワーによるジター値の変化
2005063538.tif 000003
実施例１において、記録速度をＣＬＶ４Ｘとし、１つのデータ領域内では同じ記録パワーでライトを行う。Ｐｗ０＝２１ｍＷとするとα＝０．９５の場合はＰｗ１＝２０ｍＷとなり、α＝０．９０の場合はＰｗ１＝１９ｍＷとなる（ここで、Ｐｗ１＝Ｐｗ０×α）。実施例１では記録パワーが１９、２０、２１ｍＷにおいてＤＯＷの回数とジターの変化を測定した。実施例１に示すそれぞれの記録パワーにおけるＤＯＷの回数をすべて同じ記録パワーで記録を行った。
データ領域における記録パワーをＰｗ０＝２１ｍＷ、データ管理領域における記録パワーをα＝０．９５としてＰｗ１＝２０ｍＷとする。Ｐｗ０ではＤＯＷの回数が０回から５００回までは、業界で再生互換性上問題ないとされるジター値である１１％を下回っているが、ＤＯＷ回数が１０００回では１１％を上回っている。一方、Ｐｗ１ではＤＯＷの回数が０の場合においてはジター値が８．４％と良好であるがＤＯＷの回数が１回の時に１１％を超えている。しかし、ＤＯＷの回数が２回から１０００回では１１％を下回っている。
このことから、ＤＯＷの回数が５００回まではＰｗ０が業界での再生互換性上問題ないとされるジター値１１％以下を実現し、ＤＯＷの回数が０回から１０００回までは１回の場合を除いてＰｗ１がジター値１１％以下を実現する。記録パワーが１９、２０、２１ｍＷのいずれの場合においてもＤＯＷ０とＤＯＷ１ではジターの値が明らかに違いが認められる。
【００１３】
本実施例においては、α＝０．９５の場合に実施の効果が確認できたがαの値は使用する記録装置やパルス発光波形、メディアの特性等により変化するためデータ領域での記録パワーより少しでも記録パワーを弱くするとジター低減の効果があると推測される。従って、αの範囲として０．９０≦α＜０．９９とする。
記録パワーＰｗ＝２０ｍＷとしてＤＯＷの回数とジター値に着目すると、ＤＯＷの回数が０から１０００回でジター値が最大となるのはＤＯＷ１回目である。従って、Ｐｗ＝２０ｍＷとしてかつＤＯＷ回数を２回以上という条件下においては業界で再生互換性上問題ないとされるジター値である１１％を下回ることが明らかである。
従って、ＤＶＤ＋ＲＷディスクの全領域中においてＤＯＷが相対的に多くなる場所であるデータ管理領域でＤＯＷ１０００回目までの記録品質を業界で再生互換性上問題ないとされるジター値である１１％を下回るためには、あらかじめデータ管理領域にデータ管理情報を書き込む前にＤＯＷが２回以上にしておけばよい。
本発明では、データ管理領域にデータ管理情報を書き込む前にあらかじめ書き換える行為をダミーライトと呼ぶ。一例を挙げるとＤＶＤ＋ＲＷディスクをＵＤＦ形式で初期化を行う際に全領域の初期化を行った後、データ管理領域のみダミーライトを行う。
以上の実施例１の結果より、データ領域の記録パワーＰｗ０＝２１ｍＷと決定し、さらにα＝０．９５と決定すると、Ｐｗ１＝２０ｍＷとなり、データ管理領域での記録パワーは２０ｍＷとなる。しかし、記録パワーが２０ｍＷの場合では、ＤＯＷ回数が１の場合において業界で再生互換性上問題ないとされるジター値である１１％を下回らないために、データ管理領域のみあらかじめダミーライトを行いＤＯＷ回数を２以上にすることで、実際にデータ管理情報を記録する際にはジター値が１１％以下となる。
【実施例２】
【００１４】
εとＤＯＷ回数によるジターの変化
2005063538.tif 000004
ダイレクトオーバーライト（Direct Over Write）を行う際に、主にデータの消去を行う時のパワーをイレースパワーと呼ぶ。実施例２において、記録速度をＣＬＶ４Ｘとし、１つのデータ領域内では同じ記録パワーでライトを行う。データ領域でのε０＝３５とし、βを０．９４とした。このときデータ管理領域でε１＝３３となる。実施例１の結果によりデータ管理領域においては、ダミーライトによりあらかじめＤＯＷ２回目の状態でライトができるためＤＯＷ２回目から１０００回目に注目する。記録パワーとイレースパワーの比率がε０の場合はＤＯＷ１０００回の時にジター値が１１％を上回っている。
一方、記録パワーとイレースパワーの比率がε１の場合は、ＤＯＷ回数が１０００回までジター値が１１％を下回っている。これにより実施例２における実施の効果が確認できた。記録を行う相変化型光ディスクの対応線速度や感度等により記録パワーとイレースパワーの比率は大きく変化するためβの範囲として０．９９＞β＞０．８５が適当であると推測できる（ここで、ε１＝ε０×β）。
【実施例３】
【００１５】
記録線速度とＤＯＷ回数によるジター値の変化
2005063538.tif 000005
実施例３は、相変化型光ディスクにおいてデータ管理領域で記録速度を変化させた時の記録速度とジター値の関係を調べるために、データ領域での記録速度を４Ｘとし、データ管理領域でγ＝０．６の場合の一例として記録速度２．４Ｘでの結果を示したものである。記録線速度は３．４９ｍ／ｓを１Ｘとする。ＤＯＷ回数が０回から１０００回までの全てで記録線速度として２．４Ｘを用いた場合にジター値が低くなるため明らかに記録線速度の変更を実施する効果がある。
最適なγの値については、記録を行う相変化型光ディスクが対応している線速度によって変化する。一般的に相変化型光ディスクは対応線速度の中心付近で記録品質が良くなるため、例えば対応線速度が１Ｘ〜４Ｘメディアの場合にγの値を０．５とすると、データ管理領域での記録速度は２Ｘとなり記録品質が良好となることが推測される。
一方、対応線速度が４Ｘから８Ｘの相変化型光ディスクの場合に、γを０．５とすると４Ｘとなり対応線速度の下限となり、８Ｘの場合と比較して記録品質が向上する可能性が低くなる。また、γを０．９とすると１Ｘ〜４Ｘメディアの場合、３．６Ｘとなり、４Ｘ〜８Ｘメディアの場合、７．２Ｘとなりいずれも対応線速の中心より高速となりジター低減の効果が薄いと推測されるため、γの値を０．９未満とし、γの範囲を０．５≦γ＜０．９と定めた（ここで、ｌｖ１＝ｌｖ０×γ）。
一般的に記録を行うレーザーの最適パルス発光波形は、記録線速度に応じて変化する。ＣＡＶ方式を用いると記録中に連続的に記録線速度が変化し、パルス発光波形を制御することが難しくなり記録品質の低下が懸念されるため、データ管理領域においてはＣＬＶ記録として、記録品質の低下を防止する。さらに実施例３に示すように記録線速度を遅くすることで記録品質の向上が可能となる。σの取り得る範囲としてはγと同様の考察で０．５≦σ＜０．９と定めた（ここで、ｌｖ２＝ｌｖａ×σ）。
以上の実施例１及びまたは２及びまたは３を使用する記録装置やパルス発光波形、メディアの特性等の条件に最適な組み合わせを用いることで、本発明の効果を高めることが可能である。
【図面の簡単な説明】
【００１６】
【図１】本発明の実施の形態に係る光ディスク装置のブロック図。
【図２】ＤＯＷの回数による記録パワー対ジターの関係を示す図。
【図３】Ｐｗ０、Ｐｗ１、Ｐｗ２によるＤＯＷ対ジターの関係を示す図。
【図４】ε０及びε１におけるＤＯＷ対ジターの関係を示す図。
【図５】記録線速度によるＤＯＷ対ジターの関係を示す図。
【符号の説明】
【００１７】
１  光ディスク
２  スピンドルモータ
３  モータドライバ
４  サーボ
５  光ピックアップ
６  リードアンプ
７  デコーダ
８  バッファマネージャ
９  バッファＲＡＭ
１０  ＡＴＡＰＩ／ＳＣＳＩインタフェース
１１  Ｄ／Ａコンバータ
１２  ディスク情報デコーダ
１３  エンコーダ
１４  レーザコントロール回路
１５  ＣＰＵ
１６  ＲＯＭ
１７  ＲＡＭ
【図１】
2005063538.tif 000006
【図２】
2005063538.tif 000007
【図３】
2005063538.tif 000008
【図４】
2005063538.tif 000009
【図５】
2005063538.tif 000010